(57)【要約】【課題】特別な知識や装置なしに、カメラに搭載されたディスプレイモニタの色味を、自己の所要するテレビモニタ或いはディスプレイモニタの色味に合わせることを可能とすること。【解決手段】外部表示装置に表示された表示画像を撮像する撮像手段と、前記撮像手段により撮像された撮影画像データから、輝度或いは色信号成分を演算する画像演算手段と、表示手段と、前記表示手段の輝度或いは色信号を補正する表示補正手段と、前記表示補正手段による表示補正値を記憶する記憶手段と、前記記憶手段に記憶された前記表示補正値と、前記撮影画像データから演算した輝度或いは色信号とから、前記表示補正手段の新表示補正値を演算する演算手段と、を具備することを特徴とする。【選択図】図１
2019022036.tif 000002
【特許請求の範囲】
【請求項１】
外部表示装置に表示された表示画像を撮像する撮像手段と、
前記撮像手段により撮像された撮影画像データから、輝度或いは色信号成分を演算する画像演算手段と、
表示手段と、
前記表示手段の輝度或いは色信号を補正する表示補正手段と、
前記表示補正手段による表示補正値を記憶する記憶手段と、
前記記憶手段に記憶された前記表示補正値と、前記撮影画像データから演算した輝度或いは色信号とから、前記表示補正手段の新表示補正値を演算する演算手段と、
を具備することを特徴とする撮像装置。
【請求項２】
前記撮像手段により撮像された撮影画像データの輝度或いは色信号成分を補正する画像補正手段をさらに備え、
前記記憶手段は前記画像補正手段による画像補正値を記憶し、
前記演算手段は前記記憶手段に記憶された前記画像補正値に基づいて補正されたデータから前記新表示補正値を演算することを特徴とする請求項１に記載の撮像装置。
【請求項３】
前記新表示補正値を、識別番号或いは識別コードと関連付けて前記記憶手段に記憶することを特徴とする請求項１に記載の撮像装置。
【請求項４】
前記外部表示装置へ有線或いは無線通信により画像データを送信する通信手段をさらに備え、前記外部表示装置に表示する表示画像は、前記撮像装置より前記通信手段を介して送信された画像データであることを特徴とする請求項１に記載の撮像装置。
【請求項５】
前記表示補正手段は、表示信号の赤信号、緑信号、青信号各々にゲインをかけて補正し、前記新表示補正値とは、表示信号の赤信号、緑信号、青信号各々に対するゲイン補正値であることを特徴とする請求項１に記載の撮像装置。
【請求項６】
前記ゲイン補正値は１以下の値であり、赤信号のゲイン補正値、緑信号のゲイン補正値、及び青信号のゲイン補正値の何れかは、必ず１の値となることを特徴とする請求項５に記載の撮像装置。
【請求項７】
前記外部表示装置に表示された表示画像を撮像した撮影画像において、前記表示画像が画角内に収まっているか否かを判定する手段をさらに備え、画角内に収まっていなければ、警告メッセージを前記表示手段が表示することを特徴とする請求項１に記載の撮像装置。
【請求項８】
当該撮像装置はレンズ交換可能であり、レンズから識別番号或いは識別コードを読み出す手段を有し、前記レンズ識別番号或いは識別コードに応じて、前記新表示補正値を補正する機能を有する請求項１に記載の撮像装置。
【発明の詳細な説明】
【技術分野】
【０００１】
本発明は、撮像装置に関し、特に表示装置付き撮像装置に関する。
【背景技術】
【０００２】
カメラで撮影した写真をテレビモニタやパーソナルコンピュータのディスプレイモニタにて観賞する事が一般的になっている。またプロフェッショナル用途においては、カラーマッチングした業務用ディスプレイモニタを確認しながら、写真の色味を補正することがある。カメラがデジタル化された今日では、印刷物ではなく、自分の所有するモニタの色味を基準とし、写真の観賞や補正作業を行うことが一般化している。このため、カメラに搭載されたディスプレイモニタの色味を、自己の所有するテレビモニタ或いはディスプレイモニタの色味に合わせたいという要望がある。
【０００３】
このようなディスプレイモニタの色補正として、特許文献１には、ディスプレイモニタ上に色見本とカーソルが表示され、ユーザが入力手段によりカーソルを動かすことで、ディスプレイモニタの色味を所望の色味に補正する技術が開示されている。また、特許文献２には、ディスプレイモニタの前方に外付けの測色計を配置し、測色計の測定結果に応じて、ディスプレイモニタの色味を補正する、という技術が開示されている。
【先行技術文献】
【特許文献】
【０００４】
【特許文献１】特開２００１−１７７８４６号公報
【特許文献２】特開２０１０−１７１７１９号公報
【発明の概要】
【発明が解決しようとする課題】
【０００５】
しかしながら、特許文献１に記載の技術では、ユーザが表示画像を目視で確認しながら自分で色味を補正する必要があり、色味に関する知識のないユーザにとっては、所望の色味に合わせるのが非常に難しいという課題があった。また、特許文献２に記載の装置によれば、測色計をハードウェアとして準備する必要があり、ユーザにとって利便性がよくないという課題があった。
【０００６】
そこで、本発明の目的は、特別な知識や装置なしに、カメラに搭載されたディスプレイモニタの色味を容易に調整できるようにすることを目的とする。
【課題を解決するための手段】
【０００７】
上記の目的を達成するために、本発明に係る撮像装置は、
外部表示装置に表示された表示画像を撮像する撮像手段と、前記撮像手段により撮像された撮影画像データから、輝度或いは色信号成分を演算する画像演算手段と、表示手段と、前記表示手段の輝度或いは色信号を補正する表示補正手段と、前記表示補正手段による表示補正値を記憶する記憶手段と、前記記憶手段に記憶された前記表示補正値と、前記撮影画像データから演算した輝度或いは色信号とから、前記表示補正手段の新表示補正値を演算する演算手段とを有することを特徴とする。
【発明の効果】
【０００８】
本発明に係る撮像装置によれば、特別な知識や装置なしに、カメラに搭載されたディスプレイモニタの色味を、自己の所有するテレビモニタ或いはディスプレイモニタの色味に合わせることが可能となる。
【図面の簡単な説明】
【０００９】
【図１】ユーザが所有する所望の外部ディスプレイの表示特性に合わせて撮像装置の内蔵ディスプレイの表示特性を補正するための構成図である。
【図２】本発明の実施形態にかかわる表示装置付き撮像装置のブロック図である。
【図３】撮像装置のキャリブレーションを実施するための構成図である。
【図４】撮像装置のキャリブレーション処理を示すフローチャートである。
【図５】撮像装置の内蔵ディスプレイにデフォルト補正を行うための構成図である。
【図６】内蔵ディスプレイにデフォルト補正処理を行うためのフローチャートである。
【図７】内蔵ディスプレイにユーザ補正処理を行うためのフローチャートである。
【図８】内蔵ディスプレイにゲイン補正値及び輝度補正値を適用させて表示するためのフローチャートである。
【発明を実施するための形態】
【００１０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１１】
１．装置構成
図２は、本発明の実施形態にかかわる表示装置付き撮像装置のブロック図である。
【００１２】
１２１は撮像素子であり、レンズ２１０、絞り２１１、レンズマウント１０２及び２０２、シャッター１４４を介して不図示の被写体の光学像が結像し、その光学像を電気信号に変換する。１２２はＡ／Ｄ変換部であり、撮像素子１２１のアナログ信号出力をデジタル信号に変換する。Ａ／Ｄ変換部１２２でＡ／Ｄ変換されたデジタル信号は、メモリ制御部１２５及びシステム制御部１２０により制御され、メモリ１２６に格納される。
【００１３】
１２３は画像処理部であり、Ａ／Ｄ変換部１２２でＡ／Ｄ変換されたデジタル信号のデータ或いはメモリ制御部１２５からのデータに対して所定の画素補間処理や色変換処理を行う。画像処理部１２３は、適応離散コサイン変換（ＡＤＣＴ）等により画像データを圧縮伸長する圧縮・伸長回路も備える。メモリ１２６に格納された画像を読み込んで圧縮処理或いは伸長処理を行い、処理を終えたデータをメモリ１２６に書き込むことも可能である。
【００１４】
１２４は画像演算部である。ＡＦ（オートフォーカス）処理を行うために、撮像画像のコントラスト値を算出し、コントラスト値から撮影画像の合焦状態を測定することができる。また、ＡＥ（自動露出）処理を行うために、撮影画像から露出状態を測定することができる。更に、撮影画像内の所定領域のＲ（Ｒｅｄ）画素、Ｇ（Ｇｒｅｅｎ）画素、Ｂ（Ｂｌｕｅ）画素の出力値を積分し、これを積分画素数で除算することにより、所定領域のＲ、Ｇ、Ｂの出力値の平均値を算出することが可能である。またＲ、Ｇ、Ｂ出力値をＣＩＥ  １９３１にて規定されているＸＹＺ表色系の３刺激値Ｘ、Ｙ、Ｚへ数１により変換することが可能である。
【００１５】
【数１】
2019022036.tif 000003
【００１６】
ここで、
2019022036.tif 000004
【００１７】
は前述のＲ、Ｇ、Ｂ出力値からＸ、Ｙ、Ｚ３刺激値への色変換マトリクスであり、撮像装置１００毎に固有の値となる。色変換マトリクス
2019022036.tif 000005
【００１８】
をキャリブレーションすることで、撮像素子１２１の分光特性のばらつきを補正し、且つ３刺激値Ｘ、Ｙ、Ｚへの変換することが可能となる。
【００１９】
１２５はメモリ制御部であり、Ａ／Ｄ変換部１２２、画像処理部１２３、ディスプレイ補正部１５０、Ｉ／Ｆ部１５６、外部着脱メモリ部１２８とメモリ１２６間のデータの送受を制御する。Ａ／Ｄ変換部１２２のデータが画像処理部１２３、メモリ制御部１２５を介して、或いはＡ／Ｄ変換部１２２のデータが直接メモリ制御部１２５を介して、メモリ１２６に書き込まれる。
【００２０】
１５０はディスプレイ補正部であり、システム制御部１２０からの指示により、Ａ／Ｄ変換部１２２から画像処理部１２３を介して入力された表示画像信号に補正をかける補正処理部である。明るさ調整、コントラスト調整、ガンマ補正、色補正等の種々の表示画像の補正を行うことができる。例えばディスプレイ補正部１５０では、数２により表示画像信号の赤、緑、青の各色信号
2019022036.tif 000006
【００２１】
に対してゲイン補正を行うことができる。
【００２２】
【数２】
2019022036.tif 000007
【００２３】
ここで、
2019022036.tif 000008
【００２４】
はゲイン補正前の表示画像信号の赤、緑、青の各入力値を表している。
2019022036.tif 000009
【００２５】
は赤、緑、青の各入力値に対するゲイン補正値である。ゲイン補正により、赤、緑、青の各信号の比率を変えることで、ディスプレイの色味補正が可能になる。
【００２６】
１５１はディスプレイ駆動部であり、内蔵ディスプレイ１５２を駆動するための駆動タイミング信号を供給する。また、内蔵ディスプレイ１５２の表示素子の駆動電圧を生成するための昇圧手段及び降圧手段を内蔵しており、種々の駆動電圧を生成し、前記駆動タイミング信号に同期して内蔵ディスプレイ１５２に印加する。
【００２７】
１５２は内蔵ディスプレイであり、有機ＥＬ型や液晶ディスプレイ型等により構成される。例えば液晶ディスプレイ型の場合、薄膜トランジスタアクティブマトリクス駆動方式の透過型液晶パネルを有する。液晶パネルの１つの表示素子はＲＧＢ３つのサブ画素で構成されており、即ち液晶部の上部にはＲＧＢの３色から成るカラーフィルタが設置されている。また、液晶下部及びカラーフィルタ上部には光の振動方向を一方向に抑制する偏光フィルタが設けられている。ディスプレイ駆動部１５１から各サブ画素に印加される電圧を調整することにより、液晶物質の光透過率が制御されて、バックライト照明部１５４から投光される光の透過が調整され、所望の画像を階調表示する事が出来る。
【００２８】
１５３は照明輝度制御部であり、バックライト照明１５４の照明輝度を段階的に調整することが可能である。システム制御部１２０からのＰＷＭ制御信号に応じて、バックライト照明１５４の発光体に流す電流を制限することで、照明輝度をリニアに変更することが可能である。
【００２９】
１５４はバックライト照明であり、ＬＥＤや蛍光管、有機ＥＬ等の光源及び光を面発光にするための導光板、反射板、拡散板から構成されている。内蔵ディスプレイ１５２の背面に固定されており、内蔵ディスプレイ１５２を背面から投光する。
【００３０】
１５５はタッチパネルであり、内蔵ディスプレイ１５２の上に設置されている。タッチ検出方式としては、抵抗膜方式、静電容量方式、光学式方式等が使用される。
【００３１】
１２０は撮像装置１００全体を制御するシステム制御部である。
【００３２】
１２６は撮影した静止画像及び動画像、再生用表示のための画像のデータを格納するためのメモリであり、所定枚数の静止画像や動画像を格納するのに十分な記憶量を備える。なお、メモリ１２６はシステム制御部１２０のプログラムスタック領域、ステータス記憶領域、演算用領域、ワーク用領域、画像表示データ用領域が確保されている。各種の演算は、メモリ１２６の演算用領域を利用し、システム制御部１２０により実行される。
【００３３】
１２７は電気的に消去・記録可能な不揮発性メモリであり、例えばフラッシュメモリやＥＥＰＲＯＭ等が用いられる。不揮発性メモリ１２７には、撮影状態の保存や、撮像装置１００を制御するプログラムが格納されている。
【００３４】
１２８はコンパクトフラッシュ（登録商標）やＳＤカードといった記録媒体に画像ファイル記録や読出を行うための外部着脱メモリ部である。
【００３５】
１３１は電源部であり、電池、電池検出回路、ＤＣ−ＤＣコンバータ、通電するブロックを切り替えるスイッチ回路等により構成されており、電池の装着の有無、電池の種類、電池残量の検出を行う。また、検出結果及びカメラ制御部１４０の指示に基づいてＤＣ−ＤＣコンバータを制御し、必要な電圧を必要な期間、各ブロック部へ供給する。
【００３６】
１４０はカメラ制御部であり、シャッター制御部１４１、レンズ制御部２０４、ストロボ発光制御部３０２との送受信によりカメラとしての一連の動作を制御する。また、カメラ全体の電源制御や、カメラの動作モードの遷移制御を行う。
【００３７】
１４１はシャッター制御部であり、画像演算部１２４からの露出情報に基づいて、絞り２１１を制御するレンズ制御部２０３と連携しながら、シャッター１４４を制御する。
【００３８】
１３２、１３３、１３４、１３５、１３６、１３７及び１３８は、カメラ制御部１４０への各種の動作指示を入力するための操作手段である。操作手段は、スイッチやダイヤル、等の単数或いは複数の組み合わせで構成される。ここで、これらの操作手段の具体的な説明を行う。１３２は再生表示スイッチであり、内蔵ディスプレイ１５２に所定の画像データを表示する再生表示モード操作ができる。外部着脱メモリ部１２８に格納された画像ファイルを再生表示する場合は、必ずこの再生スイッチ１３２により操作する。また、再生表示モードにてこの操作が行われた場合には、再生表示モードから撮影モードへの切り替えができる。
【００３９】
１３３はメニュースイッチであり、内蔵ディスプレイ１５２に各種項目一覧を表示する。この表示内容としては撮影に関する状態設定、記録媒体のフォーマット、時計の設定、現像パラメータ設定、及びユーザ機能設定（カスタム機能の設定）がある。
【００４０】
１３４はモードダイアルである。自動撮影モード、プログラム撮影モード、シャッター速度優先撮影モード、絞り優先撮影モード、マニュアル撮影モード、ポートレート撮影モード、風景撮影モード、スポーツ撮影モード、夜景撮影モード、動画モード等の各機能撮影モードを切り替えることができる。
【００４１】
１３５はレリーズスイッチであり、レリーズボタンの半押し（ＳＷ１）及び全押し（ＳＷ２）で各々ＯＮとなるスイッチである。半押し状態ではＡＦ処理、ＡＥ処理、ＡＷＢ（オートホワイトバランス）処理、ＥＦ（フラッシュ調光）処理等の動作開始を指示する。全押し状態では、撮像素子１２１から読み出した信号をＡ／Ｄ変換部１２２、メモリ制御部１２５を介してメモリ１２６に画像データを書き込む撮像処理、画像処理部１２３やメモリ１２６での演算を用いた現像処理を行う。さらに、メモリ１２６から画像データを読み出し、画像処理部１２３で圧縮を行い、外部着脱メモリ部１２８に画像データを書き込む記録処理という一連の処理の動作開始を指示する。
【００４２】
１３６は各種ボタンスイッチからなる操作部であり、撮影モード、連写モード、セット、マクロ、ページ送り、フラッシュ設定、メニュー移動、ホワイトバランス選択、撮影画質選択、露出補正、日付／時間設定ができる。さらにライブビュー撮影開始及び停止を行うスイッチや、上下左右方向スイッチ、再生画像のズーム倍率変更スイッチ、撮影直後に撮影画像を自動再生するクイックレビューＯＮ／ＯＦＦスイッチ、再生画像を消去するスイッチがある。また、ＪＰＥＧ及びＭＰＥＧ圧縮の各圧縮率と、撮像素子の信号をそのままデジタル化して記録するＣＣＤＲＡＷモードとを選択する圧縮モードスイッチがある。その他、レリーズスイッチ半押し状態でＡＦの合焦状態を保ち続けるワンショットＡＦモードと連続してＡＦ動作を続けるサーボＡＦモードとを設定するＡＦモード設定スイッチ等がある。
【００４３】
１３７は電子ダイヤルであり、シャッタースピード、絞り値、露出等を設定することができる。
【００４４】
１３８は電源スイッチであり、撮像装置１００の電源オン、電源オフの各モードを切り替え設定することができる。また、撮像装置１００に接続されたレンズユニット２００、ストロボユニット３００、記録媒体等の各種付属装置の電源オン、電源オフの設定も合わせて切り替え設定することができる。
【００４５】
１３９はタイマーであり、時計機能、カレンダー機能、タイマーカウンター機能、アラーム機能があり、スリープモードへの移行時間や、アラーム通知等のシステム管理に用いられる。
【００４６】
１５６は外部ディスプレイモニタを始めとする外部機器とのＩ／Ｆ（Ｉｎｔｅｒｆａｃｅ）部であり、ＨＤＭＩ（登録商標）等のディスプレイ通信用Ｉ／ＦやＵＳＢ等のデータ通信用Ｉ／Ｆから構成される。
【００４７】
１５７は外部ディスプレイモニタである。Ｉ／Ｆ部１５６を介して撮像装置１００から出力された画像データを、ディスプレイモニタ上に表示することが可能である。
【００４８】
１０２及び２０２はレンズマウントであり、撮像装置１００をレンズユニット２００と接続するためのインターフェイスである。１０１及び２０１は撮像装置１００をレンズユニット２００と電気的に接続するコネクタであり、カメラ制御部１４０により制御される。
【００４９】
１１１及び３０１はアクセサリシューであり、撮像装置１００をストロボユニット３００と接続するためのインターフェイスである。
【００５０】
２００は交換レンズタイプのレンズユニットであり、不図示の被写体の光学像をレンズ２１０から、絞り２１１、レンズマウント２０２及び１０２、シャッター１４４を介して導き、撮像素子１２１上に結像することができる。
【００５１】
２０３はレンズユニット２００全体を制御するレンズ制御部である。レンズ制御部２０３は、動作用の定数、変数、プログラム等を記憶するメモリやレンズユニット２００固有の番号等の識別情報、管理情報、開放絞り値や最小絞り値、焦点距離等の機能情報、現在や過去の各設定値等を保持する不揮発メモリの機能も備える。レンズ制御部２０３は、画像演算部１２４より測定された画像の合焦状態に応じて、レンズ２１０のフォーカシングを制御し、撮像素子１２１に入射する被写体像の結像位置を変更することでＡＦ動作を行うことが可能である。また、レンズ制御部２０３は絞り２１１の制御や、レンズ２１０のズーミングを制御する機能も兼ね備える。
【００５２】
３００はアクセサリシュー１１１に接続するストロボユニットである。３０１はアクセサリシュー１１１内において、ストロボユニット３００と撮像装置１００と電気的に接続するインターフェイスである。３０２はストロボユニット３００全体を制御するストロボ発光制御部であり、不図示のキセノン管等の発光部に対し、画像演算部１２４らの露出情報に基づいて発光量や発光タイミングを制御することでＥＦ制御を行う。
【００５３】
２．撮像装置のキャリブレーション
次に図３及び図４を用いて、撮像装置のキャリブレーション方法について説明する。本実施例では、撮像装置のキャリブレーションは撮像装置出荷前に工場にて行われるものとする。
【００５４】
図３は撮像装置１００のキャリブレーションを実施するための構成図である。
【００５５】
４００はキャリブレーションに用いられるカラーチャートである。図３の例では、４００は白、赤、緑、青の４色が４分割されたカラーチャートである。４００は透過性の素材でできており、不図示の光源から照射された光がカラーチャート４００を透過し、レンズユニット２００を介して撮像装置１００内の撮像素子１２１に結像される。４０１は撮像装置１００を制御するコンピュータであり、Ｉ／Ｆ部１５６を介して、制御命令を撮像装置１００へ発行する。
【００５６】
図４は撮像装置１００のキャリブレーション処理を示すフローチャートである。
【００５７】
ステップＳ１０１では、コンピュータ４０１からの制御命令に従い、撮像装置１００はカラーチャート４００を撮影する。
【００５８】
ステップＳ１０２では、画像演算部１２４において、カラーチャートの撮影画像データから、カラーチャートの白、赤、緑、青の各領域に相当する各画像領域のＲ、Ｇ、Ｂの出力値の平均値を算出する。
【００５９】
ステップＳ１０３では、色変換マトリクス
2019022036.tif 000010
【００６０】
を数３により算出する。
【００６１】
【数３】
2019022036.tif 000011
【００６２】
ここで、
2019022036.tif 000012
【００６３】
はカラーチャートの赤領域、
2019022036.tif 000013
【００６４】
はカラーチャートの緑領域、
2019022036.tif 000014
【００６５】
はカラーチャートの青領域に各々相当する画像領域のＲ、Ｇ、Ｂ信号の出力値である。また、
2019022036.tif 000015
【００６６】
はカラーチャートの赤領域、
2019022036.tif 000016
【００６７】
はカラーチャートの緑領域、
2019022036.tif 000017
【００６８】
はカラーチャートの青領域に各々相当する画像領域の所望の３刺激値Ｘ、Ｙ、Ｚであり、既知の値である。色変換マトリクス
2019022036.tif 000018
【００６９】
を使用する事で、数１より、撮像装置１００のＲ、Ｇ、Ｂ出力値を、３刺激値Ｘ、Ｙ、Ｚに変換することが可能となる。
【００７０】
またステップ１０３では、数４より輝度係数
2019022036.tif 000019
【００７１】
を算出する。
【００７２】
【数４】
2019022036.tif 000020
【００７３】
ここで、
2019022036.tif 000021
【００７４】
はカラーチャートの白領域に相当する画像領域の３刺激値Ｙであり、数３で算出した色変換マトリクス
2019022036.tif 000022
【００７５】
を用いて数１より算出可能である。
2019022036.tif 000023
【００７６】
はカラーチャートの白領域を撮影した時に得られる所望の輝度値である。つまり、輝度係数
2019022036.tif 000024
【００７７】
を用いることで、撮影画像の３刺激値Ｙから、撮影対象の輝度を測定することが可能となる。
【００７８】
ステップＳ１０４では、ステップＳ１０３で算出された色変換マトリクス
2019022036.tif 000025
【００７９】
及び輝度係数
2019022036.tif 000026
【００８０】
を、不揮発性メモリ１２７に保存し、撮像装置のキャリブレーションを終了する。
【００８１】
３．内蔵ディスプレイのデフォルト補正
次に図５及び図６を用いて、内蔵ディスプレイのデフォルト補正方法について説明する。本実施例では、内蔵ディスプレイのデフォルト補正は、撮像装置出荷前に工場にて行われるものとする。
【００８２】
図５は撮像装置１００の内蔵ディスプレイ１５２にデフォルト補正を行うための構成図である。４０２は３刺激値Ｘ、Ｙ、Ｚを測色可能な測色計である。４０３は測色計４０２のプローブヘッドであり、内蔵ディスプレイ１５２の表面に向けられている。４０１は撮像装置１００及び測色計４０２を制御するコンピュータであり、Ｉ／Ｆ部１５６を介して、制御命令を撮像装置１００へ発行する。
【００８３】
図６は内蔵ディスプレイ１５２にデフォルト補正処理を行うためのフローチャートである。
【００８４】
ステップＳ２０１では、コンピュータ４０１からの制御命令に従い、撮像装置１００は内蔵ディスプレイ１５２にカラーチャートを表示する。本実施例ではカラーチャートとして、白、赤、緑、青の単色画像を順に表示する。
【００８５】
ステップＳ２０２では、コンピュータ４０１からの制御命令に従い、測色計４０２により内蔵ディスプレイ１５２に表示されカラーチャートを測色し、３刺激値Ｘ、Ｙ、Ｚを取得する。
【００８６】
ステップＳ２０３では、コンピュータ４０１は、測色計４０２にて白、赤、緑、青の４色のカラーチャートを全て測色したか否かを判定する。測色していないカラーチャートがあればステップＳ２０１に戻る。全てのカラーチャート測定が完了していれば、ステップＳ２０４へ移行する。
【００８７】
ステップＳ２０４では、コンピュータ４０１は、測色した各カラーチャートの３刺激値Ｘ、Ｙ、Ｚから、デフォルトゲイン補正値
2019022036.tif 000027
【００８８】
及びデフォルト輝度補正値
2019022036.tif 000028
【００８９】
を算出する。デフォルトゲイン補正値
2019022036.tif 000029
【００９０】
の算出方法は数５、数６の通りである。
【００９１】
【数５】
2019022036.tif 000030
【００９２】
【数６】
2019022036.tif 000031
【００９３】
ここで、
2019022036.tif 000032
【００９４】
は赤のカラーチャートの測色値、
2019022036.tif 000033
【００９５】
は緑のカラーチャートの測色値、
2019022036.tif 000034
【００９６】
は青のカラーチャートの測色値、
2019022036.tif 000035
【００９７】
は白のカラーチャートの測色値である。また
2019022036.tif 000036
【００９８】
は、数５により得られた
2019022036.tif 000037
【００９９】
の最大値を表している。つまり、数６は
2019022036.tif 000038
【０１００】
を最大値で正規化したものである。以上のように正規化することで、デフォルトゲイン補正値
2019022036.tif 000039
【０１０１】
は１以下の値であり、且ついずれかは必ず１となる。これにより、表示画像信号がゲイン補正により飽和することを防ぎ、且つ輝度低下を防ぐことができる。
【０１０２】
数６で得られたデフォルトゲイン補正値により、表示画像信号の赤、緑、青の各色信号
2019022036.tif 000040
【０１０３】
に対して数７に示すデフォルトゲイン補正を行うことができる。
【０１０４】
【数７】
2019022036.tif 000041
【０１０５】
また数８により、デフォルト輝度補正値
2019022036.tif 000042
【０１０６】
を算出できる。
【０１０７】
【数８】
2019022036.tif 000043
【０１０８】
ここで、
2019022036.tif 000044
【０１０９】
は白のカラーチャート表示時の所望の輝度値であり、既定の値である。デフォルト輝度補正値
2019022036.tif 000045
【０１１０】
を用いることで、内蔵ディスプレイ１５２の表示輝度の個体毎のばらつきを均一に補正する事が出来る。
2019022036.tif 000046
【０１１１】
による補正は、照明輝度制御部１５３により実施する事が可能である。
【０１１２】
ステップＳ２０５では、コンピュータ４０１からの指示を受信し、システム制御部１２０は、ステップＳ２０４で算出したデフォルトゲイン補正値
2019022036.tif 000047
【０１１３】
及びデフォルト輝度補正値
2019022036.tif 000048
【０１１４】
を不揮発性メモリ１２７に記憶する。
【０１１５】
以上で、ディスプレイのデフォルト補正フローを終了する。
【０１１６】
４．内蔵ディスプレイのユーザ補正
次に図１及び図７を用いて、内蔵ディスプレイのユーザ補正方法について説明する。本実施例において内蔵ディスプレイのユーザ補正は、撮像装置出荷後にユーザによって行われるものとする。
【０１１７】
図１はユーザが所有する所望の外部ディスプレイの表示特性に合わせて、撮像装置１００の内蔵ディスプレイ１５２にユーザ補正を行うための構成図である。１５７はユーザが所有する外部ディスプレイである。外部ディスプレイ１５７と撮像装置１００とは、Ｉ／Ｆ部１５６を介して通信ケーブルにて接続されており、システム制御部１２０の指示により、外部ディスプレイ１５７へ所望の画像を送信し、表示する事が出来る。これにより、撮像装置１００は所望のタイミングでディスプレイにチャートを表示し、撮影することができる。
【０１１８】
図７は内蔵ディスプレイ１５２にユーザ補正処理を行うためのフローチャートである。
【０１１９】
ステップＳ３０１では、ユーザの指示により撮像装置１００はディスプレイ調整モードで起動する。ディスプレイ調整モードは、メニュースイッチ１３３を押すことで内蔵ディスプレイ１５２に表示される各種項目一覧より選択する。
【０１２０】
ステップＳ３０２では、システム制御部１２０は、Ｉ／Ｆ部１５６を介して外部モニタ１５７への通信接続を試みる。
【０１２１】
ステップＳ３０３では、外部ディスプレイ１５７へ通信接続が完了したか否かを判定する。接続に失敗すればステップＳ３０４に移行する。接続に成功すればステップＳ３０５へ移行する。
【０１２２】
ステップＳ３０４では、外部ディスプレイ１５７への通信接続に失敗した旨を内蔵ディスプレイ１５２に表示する。これにより、ユーザに通信ケーブルの挿抜による再接続を促す。ユーザが通信ケーブルを再接続したら、ステップＳ３０２よりフローを再スタートする。
【０１２３】
ステップＳ３０５では、システム制御部１２０は、Ｉ／Ｆ部１５６を介して外部ディスプレイにグレーチャート画像を送信し、外部ディスプレイ部１５７に表示させる。
【０１２４】
ステップＳ３０６では、ユーザの指示により、撮像装置１００は外部ディスプレイ１５７に表示されたカラーチャートを撮影する。ユーザはレリーズスイッチ１３５を押すことで撮影を行うことができる。
【０１２５】
ステップＳ３０７では、ステップＳ３０６で得られた撮影画像データ内において、所定領域毎のＲ、Ｇ、Ｂの出力値を画像演算部１２４にて演算する。
【０１２６】
ステップＳ３０８では、ステップＳ３０７により演算したＲ、Ｇ、Ｂの出力値の分布から、グレーチャートが撮影画角内に入っていたか否かを判定する。または、チャートの４隅に目印となるマーキングを配置し、これを識別して画角内か否かを判定する方法としても構わない。撮影画角内にグレーチャートがないと判定されればステップＳ３０９に進む。撮影画角内にグレーチャートがあると判定されればステップＳ３１０に進む。
【０１２７】
ステップＳ３０９では、グレーチャート撮影に失敗した旨を内蔵ディスプレイ１５２に表示する。これにより、ユーザに再撮影を促す。ユーザが再撮影を実施することで、ステップＳ３０６よりフローを再スタートする。
【０１２８】
ステップＳ３１０では、不揮発性メモリ１２７より、色変換マトリクス
2019022036.tif 000049
【０１２９】
を読み出す。
【０１３０】
ステップＳ３１１では、撮影画像におけるグレーチャート領域の平均のＲ、Ｇ、Ｂ出力値を、数１より３刺激値Ｘ、Ｙ、Ｚに変換する。このとき、ステップＳ３１０にて読みだした色変換マトリクス
2019022036.tif 000050
【０１３１】
を用いる。ステップＳ３１１にて得られた３刺激値Ｘ、Ｙ、Ｚを
2019022036.tif 000051
【０１３２】
とする。
【０１３３】
ステップＳ３１２では、不揮発性メモリ１２７より、デフォルトゲイン補正値
2019022036.tif 000052
【０１３４】
を読み出す。
【０１３５】
ステップＳ３１３では、数９、数１０、及び数１１より、新ゲイン補正値
2019022036.tif 000053
【０１３６】
を算出する。
【０１３７】
【数９】
2019022036.tif 000054
【０１３８】
【数１０】
2019022036.tif 000055
【０１３９】
【数１１】
2019022036.tif 000056
【０１４０】
ここで、
2019022036.tif 000057
【０１４１】
はゲイン補正値から３刺激値Ｘ、Ｙ、Ｚへの変換マトリクスの逆行列である。変換マトリクス
2019022036.tif 000058
【０１４２】
の各成分は、内蔵ディスプレイ１５２の赤色表示時の３刺激値
2019022036.tif 000059
【０１４３】
、緑色表示時の３刺激値
2019022036.tif 000060
【０１４４】
、青色表示時の３刺激値
2019022036.tif 000061
【０１４５】
から成る。本実施例ではＣＰＵの計算負荷を削減するため、
2019022036.tif 000062
【０１４６】
を既知の固定値とする。例えば、複数台の内蔵ディスプレイ１５２を事前に測色計にて測色しておき、その平均値から
2019022036.tif 000063
【０１４７】
を決定する。勿論、ステップＳ２０３で測色した各カラーチャートの測色値を不揮発性メモリ１２７に保存した上で、ステップＳ３１２で読み出し、変換マトリクス
2019022036.tif 000064
【０１４８】
を算出する方式としても構わない。
【０１４９】
ステップＳ３１４では、不揮発性メモリ１２７より、輝度係数αを読み出す。
【０１５０】
ステップＳ３１５では、不揮発性メモリ１２７より、デフォルト輝度補正値
2019022036.tif 000065
【０１５１】
を読み出す。
【０１５２】
ステップＳ３１６では、数１２、数１３、数１４、及び数１５より、新輝度補正値
2019022036.tif 000066
【０１５３】
を算出する。
【０１５４】
【数１２】
2019022036.tif 000067
【０１５５】
【数１３】
2019022036.tif 000068
【０１５６】
【数１４】
2019022036.tif 000069
【０１５７】
【数１５】
2019022036.tif 000070
【０１５８】
ステップＳ３１７では、ユーザは操作部１３６或いはタッチパネル１５５を用いて、撮像装置１００に新ゲイン補正値
2019022036.tif 000071
【０１５９】
及び新輝度補正値
2019022036.tif 000072
【０１６０】
用の管理ＩＤを入力する。若しくは、管理ＩＤが自動的に割り振られる構成としてもよい。或いは、Ｉ／Ｆ部１５６を介して、外部ディスプレイ１５７から、管理ＩＤに相当する情報を読み出す方式としても構わない。
【０１６１】
ステップＳ３１８では、新ゲイン補正値
2019022036.tif 000073
【０１６２】
及び新輝度補正値
2019022036.tif 000074
【０１６３】
を管理ＩＤと関連付けて不揮発性メモリ１２７に保存する。ここで管理ＩＤとは、識別番号や識別コードに相当する。
【０１６４】
以上により、内蔵ディスプレイのユーザ補正フローを終了する。本処理により、内蔵ディスプレイの色味及び輝度を所望のディスプレイに合わせるための補正値を演算することが可能となる。
【０１６５】
５．内蔵ディスプレイの表示
次に図８を用いて、内蔵ディスプレイに、新ゲイン補正値
2019022036.tif 000075
【０１６６】
及び新輝度補正値
2019022036.tif 000076
【０１６７】
を適用させて、表示する方法を説明する。
【０１６８】
図８は内蔵ディスプレイ１５２に表示を行うためのフローチャートである。
【０１６９】
ステップＳ４０１では、撮像装置１００は管理ＩＤを識別する。不揮発性メモリ１２７に管理ＩＤが複数保存されている場合は、ユーザが操作部１３６或いはタッチパネル１５５を用いて、所望の管理ＩＤを選択する。
【０１７０】
ステップＳ４０２では、不揮発性メモリ１２７に管理ＩＤが登録されているか否かを判定する。登録されていればステップＳ４０３に進む。登録されていなければステップＳ４０４へ進む。
【０１７１】
ステップＳ４０３では、選択された管理ＩＤに関連付けられた新ゲイン補正値
2019022036.tif 000077
【０１７２】
及び新輝度補正値
2019022036.tif 000078
【０１７３】
を読み出す。
【０１７４】
ステップＳ４０４では、管理ＩＤが何も登録されていないため、代わりにデフォルトゲイン補正値
2019022036.tif 000079
【０１７５】
及びデフォルト輝度補正値
2019022036.tif 000080
【０１７６】
を読み出す。
【０１７７】
ステップＳ４０５では、ゲイン補正値及びデフォルト輝度補正値を内蔵ディスプレイ１５２へ適用する。具体的には、ディスプレイ補正部１５０にて、数２により表示画像信号の赤、緑、青の各色信号に対してゲイン補正を行う。また、照明輝度制御部１５３にて、輝度補正値に応じてシステム制御部１２０からのＰＷＭ制御信号を補正し、バックライト照明１５４の発光体に流す電流を制限することで、照明輝度を調整する。
【０１７８】
ステップＳ４０６では、内蔵ディスプレイ１５２を表示する。
【０１７９】
以上により、新ゲイン補正値
2019022036.tif 000081
【０１８０】
及び新輝度補正値
2019022036.tif 000082
【０１８１】
の適用フローを終了する。
【０１８２】
以上、本発明の実施形態について説明した。本実施構成とすることで、特別な知識や装置なしに、ただカメラで所望の外部モニタを撮影するだけで、カメラに搭載されたディスプレイモニタの色味を、自己の所有する外部モニタの色味に合わることが可能となる。また、本実施構成によれば、色味のみならず、表示輝度も補正することができる。
【０１８３】
本実施構成では、工場において撮像装置のキャリブレーションを行う構成としている。これにより、撮像データの色信号を所望の値に補正することができ、撮像装置あたかも測色計のように扱うことが可能となる。
【０１８４】
また、本実施構成では、工場において内蔵ディスプレイのデフォルト補正を行う。これにより、測色計での測定結果に関する情報を含む補正値を、撮像装置内部に記憶することが可能となる。
【０１８５】
また、本実施構成では、内蔵ディスプレイのユーザ補正を実施する際に、色変換マトリクス
2019022036.tif 000083
【０１８６】
を読み出す。これにより、ユーザは撮像装置で外部ディスプレイを撮影するだけで、外部ディスプレイの測色を実施する事が出来る。
【０１８７】
また、本実施構成では、内蔵ディスプレイのユーザ補正を実施する際に、デフォルト補正値を読み出す構成としている。この値は測色計による測色結果の情報を含むため、ユーザは測色計で内蔵ディスプレイを測色することなしに、内蔵ディスプレイの色味と輝度を外部ディスプレイの色味と輝度に合わせることができる。
【０１８８】
また、本実施構成では、内蔵ディスプレイの補正値を、管理ＩＤと関連付けて記憶する構成としている。これにより、ユーザが所有する複数のディスプレイに各々に対して、色味と輝度を合わせる補正値をもつことができる。
【０１８９】
また、本実施構成では、内蔵ディスプレイの表示の際に、管理ＩＤを識別し、管理ＩＤに関連付けられた補正値を内蔵ディスプレイに適用する構成としている。これにより、ユーザが、所有するディスプレイの色味及び輝度補正値を選択して、内蔵ディスプレイに適用することが可能となる。また管理ＩＤに何も登録されていなければ、デフォルト補正値が適用される構成としている。これによりユーザ補正なしでも、工場出荷時の基準に合わせた好適な色味及び輝度補正値を内蔵ディスプレイに適用する事が可能となる。
【０１９０】
尚、本発明はこれらの実施形態に限定されず、その要旨の範囲内で種々の変形及び変更が可能である。
【０１９１】
例えば、システム制御部１２０の制御は１つのハードウェアが行ってもよいし、複数のハードウェアが処理を分担することで、装置全体の制御を行ってもよい。本実施例では、内蔵ディスプレイの補正値を撮像装置内部の不揮発性メモリに記憶する方式としたが、外付けメモリに保存しても構わない。また、サーバ上に補正値を保存し、通信ネットワークを介して読み出す方式としても構わない。
【０１９２】
本実施例では、撮影データのＲ、Ｇ、Ｂ出力値を得る方式としたが、Ｙ、Ｕ、Ｖやその他の画像データ形式でも勿論構わない。また、撮像装置の撮影データのＲ、Ｇ、Ｂ出力値を、ＣＩＥ１９３１で規定される３刺激値Ｘ、Ｙ、Ｚへ変換したが、撮像装置毎の出力ばらつきをキャリブレーションできる方法であれば、どのような変換形態でも構わない。
【０１９３】
本実施例では、ディスプレイ補正部１５０による内蔵ディスプレイの補正方法を、ゲイン補正としたが、表示色を補正できる方法であれば、例えばオフセット補正等の他の補正方法であっても構わない。
【０１９４】
本実施例では、照明輝度制御部１５３で、バックライト照明１５４の発光体に流す電流を制限する照明輝度を調整する方式としたが、照明輝度を調整できれば他の方法であっても構わない。また、内蔵ディスプレイ１５２を自発光とし、バックライト照明１５４がない構成としても構わない。
【０１９５】
本実施例では、撮像装置のキャリブレーションにおいて、白、赤、緑、青の４色が４分割されたチャートを用いたが、撮影データの出力値をキャリブレーションできれば、どのようなチャートを用いても構わない。また、カラーチャート４００はディスプレイ等を用いても構わない。測色値、輝度が既知のカラーチャートを用いるのであれば、撮像装置のキャリブレーションは、工場で調整する必要はない。例えば、ユーザがキャリブレーションできる方式としても構わない。
【０１９６】
本実施例では、内蔵ディスプレイのデフォルト補正において、３刺激値Ｘ、Ｙ、Ｚを測色可能な測色計を用いたが、測色可能なものであればなんでも良い。例えば、本実施例にある撮像装置の別の個体によって測色する構成としても構わない。また、ユーザが測色計を所有しているのであれば、内蔵ディスプレイのデフォルト補正は工場で実施する必要はなく、ユー自身が実施する構成としても構わない。カラーチャートは白、赤、緑、青の単色画像を順に表示する構成としたが、カラーチャート４００のように、４色が４分割されたチャートを表示しても構わない。また、色は白、赤、緑、青に限定されるものではなく、他の色であっても構わない。パネル特性が既知であれば、白やグレーのみのチャートでも構わない。
【０１９７】
本実施例では、内蔵ディスプレイのユーザ補正において、外部ディスプレイ１５７と撮像装置１００とは、Ｉ／Ｆ部１５６を介して通信ケーブルにて接続されており、撮像装置１００より外部ディスプレイ１５７へ所望の画像を送信する構成とした。しかし、例えば外部メモリカード経由で、ユーザが外部ディスプレイ１５７にグレーチャートを表示する構成としても構わない。また、有線の通信ケーブルではなく、無線通信で撮像装置１００より外部ディスプレイ１５７へ所望の画像を送信する構成としても構わない。表示するチャートはグレーチャートのみならず、他色を表示しても勿論構わない。本実施例では、表示色を表示信号に対するゲイン補正により補正する構成としたが、他の構成でも構わない。例えば、表示色階調毎にルックアップテーブルをもっており、各階調毎に補正する方式としても構わない。
【０１９８】
本実施例では、撮像装置１００をレンズ交換式カメラとしたが、レンズにより分光特性は微小ながら異なる。このレンズの分光特性の補正値を不揮発性メモリ１２７に予め記憶しておく構成としても構わない。内蔵ディスプレイのユーザ補正の際に、装着しているレンズを識別情報から識別し、それに適合する分光補正値を不揮発性メモリ１２７から読み出す方式としてもよい。或いは、レンズユニット２００側の不揮発性メモリに記憶しておき、撮像装置１００にレンズユニット２００を装着した際に、分光特性の補正値を読み出す方式としても構わない。このようにレンズの分光特性を補正することにより、より高精度な色味及び輝度の補正が可能となる。
【０１９９】
また、本発明をその好適な実施形態として撮像装置に基づいて詳述してきたが、本発明はこれら特定の実施形態に限られるものではなく、この発明の要旨を逸脱しない範囲の様々な形態も本発明に含まれる。本発明は、撮像手段と、表示手段を有する電子機器であれば、あらゆるものに適用可能である。例えばカメラ付き携帯電話のような電子機器に適用しても構わない。また、撮像手段を搭載したパーソナルコンピュータやＰＤＡ、テレビ、デジタルフォトフレーム、ゲーム機、電子ブックリーダーなどに適用可能である。いずれの実施例においても、本発明により、特別な知識や装置なしに、対象機器のディスプレイモニタの色味を、自己の所要するテレビモニタ或いはディスプレイモニタの色味に合わることが可能となる効果がある。
【０２００】
さらに、上述した各実施形態は本発明の一実施形態を示すものにすぎず、各実施形態を適宜組み合わせることも可能である。
【符号の説明】
【０２０１】
１００  撮像装置、１０１  レンズコネクタ（撮像装置）、
２０１  レンズコネクタ（レンズ）、１２１  撮像素子、１２４  画像演算部、
１２７  不揮発性メモリ、１３６  その他操作部、１５０  ディスプレイ補正部、
１５２  内蔵ディスプレイ、１５３  照明輝度制御部、１５５  タッチパネル、
１５６  Ｉ／Ｆ部、１５７  外部ディスプレイ、４０２  測色計
【図１】
2019022036.tif 000084
【図２】
2019022036.tif 000085
【図３】
2019022036.tif 000086
【図４】
2019022036.tif 000087
【図５】
2019022036.tif 000088
【図６】
2019022036.tif 000089
【図７】
2019022036.tif 000090
【図８】
2019022036.tif 000091